(57)【特許請求の範囲】
【請求項１】
音響機器の内部にＡ／Ｄ変換部を有する制御回路を備え、該制御回路に選択的に接続されたダイオードの有無を検出してダイオードに対応させた付加機能の存否を判別すると共に、電圧源の出力電圧を前記Ａ／Ｄ変換部でＡ／Ｄ変換したＡ／Ｄ変換後の出力電圧値から電圧源の存否を検出し検出した電圧源の存否に基づき電圧源に対応させた付加機能の存否を判別する機能判別回路であって、
前記Ａ／Ｄ変換部に接続され第１の付加機能に対応しかつ所定レベルの電圧を発生する第１の電圧源と、前記Ａ／Ｄ変換部に接続され第２の付加機能に対応しかつ第１の電圧源の出力電圧と異なるレベルの電圧を発生する第２の電圧源とを付加機能に対応して選択的に備え、
前記Ａ／Ｄ変換後の出力電圧値に基づいて第１の電圧源の存否を検出する第１の検出手段と、前記Ａ／Ｄ変換後の出力電圧値に基づいて第２の電圧源の存否を検出する第２の検出手段とを備え、
前記ダイオードの有無による付加機能の存否判別に加えて、
第１の検出手段による第１の電圧源の存在検出により第１の付加機能を有し、第２の検出手段による第２の電圧源の存在検出により第２の付加機能を有すると判別する
ことを特徴とする機能判別回路。
【請求項２】
音響機器の内部にＡ／Ｄ変換部を有する制御回路を備え、該制御回路に選択的に接続されたダイオードの有無を検出してダイオードに対応させた付加機能の存否を判別すると共に、電圧源の出力電圧を前記Ａ／Ｄ変換部でＡ／Ｄ変換したＡ／Ｄ変換後の出力電圧値から電圧源の存否を検出し検出した電圧源の存否に基づき電圧源に対応させた付加機能の存否を判別する機能判別回路であって、
前記Ａ／Ｄ変換部に接続され第１の付加機能に対応しかつ所定レベルの電圧を発生する第１の電圧源と、前記Ａ／Ｄ変換部に接続され第２の付加機能に対応しかつ第１の電圧源の出力電圧と異なるレベルの電圧を発生する第２の電圧源と、前記Ａ／Ｄ変換部に接続され第３の付加機能に対応しかつ第１および第２の電圧源の出力電圧と異なるレベルの電圧を発生する第３の電圧源とを付加機能に対応して選択的に備え、
前記Ａ／Ｄ変換後の出力電圧値に基づいて第１の電圧源の存否を検出する第１の検出手段と、前記Ａ／Ｄ変換後の出力電圧値に基づいて第２の電圧源の存否を検出する第２の検出手段と、前記Ａ／Ｄ変換後の出力電圧値に基づいて第３の電圧源の存否を検出する第３の検出手段とを備え、
前記ダイオードの有無による付加機能の存否判別に加えて、
第１の検出手段による第１の電圧源の存在検出により第１の付加機能を有し、第２の検出手段による第２の電圧源の存在検出により第２の付加機能を有し、第３の検出手段による第３の電圧源の存在検出により第３の付加機能を有すると判別する
ことを特徴とする機能判別回路。
【請求項３】
請求項１または２記載の機能判別回路において、第１の電圧源は所定の電圧範囲のレベルの電圧を発生する電圧源であることを特徴とする機能判別回路。
【請求項４】
請求項１または２記載の機能判別回路において、第１の付加機能は電界強度検出機能であることを特徴とする機能判別回路。
【請求項５】
請求項１または２記載の機能判別回路において、第１の電圧源は電界強度検出出力電圧を発生する電界強度発生回路であることを特徴とする機能判別回路。
【請求項６】
請求項１または２記載の機能判別回路において、第２の付加機能はＲＤＳ放送受信機能であることを特徴とする機能判別回路。
【発明の詳細な説明】
【０００１】
【発明の属する技術分野】
本発明はラジオ受信機等の音響機器の付加機能の存否を判別する機能判別回路に関する。
【０００２】
【従来の技術】
従来、音響機器としての、例えばラジオ受信機において、電界強度表示機能や、ラジオデータシステム（ＲＤＳ）機能やＦＭ多重機能を備えたものがある。かかるラジオ受信機において、製造過程において電界強度表示機能が付加されているか、ＲＤＳ機能が付加されているか、あるいはＦＭ多重機能が付加されているか、かつ機能に応じて他の機能として例えば受信周波数帯域幅やチャンネル間隔の機能があり、これらを判別して、該判別結果に基づいて制御回路の制御プログラムを切り換えさせることが行われる。このために音響機器に機能判別回路が設けられている。
【０００３】
例えば、ＲＤＳ機能が設けられているときは放送局名の表示をしたり、時刻表示、ラジオテキスト情報等の表示をし、ＦＭ多重放送受信機能が設けられているときは、多重されている情報に基づく表示をさせるためである。また、受信周波数帯域幅やチャンネル間隔はそれぞれの国によっても相違し、これらの判別によって仕向先を判別することにもなる。
【０００４】
かかる従来の機能判別回路は、例えば図７に示すように構成されている。図７に示す例はＲＤＳ受信機の場合である。アンテナ１からの受信信号をフロントエンド２に導いて、選局、増幅および中間周波信号への周波数変換を行い、中間周波信号を増幅器３にて増幅のうえ、増幅器３の出力信号を検波器４にて検波し、検波器４から出力される検波出力をステレオ復調器５によって左右チャンネルの信号に分離し、増幅器６にて増幅のうえ送出する。
【０００５】
検波器４の検波出力中からＲＤＳの信号、すなわち５７ｋＨｚの副搬送波信号を抽出してＲＤＳ復調器７に供給してＲＤＳ復調させる。ＲＤＳ復調器７からのＲＤＳ復調出力データは制御回路２０へ送出し、制御回路２０の出力に基づく言語による表示、例えば放送局名などの表示を表示器９に行わせる。
【０００６】
このために、制御回路２０においてはＲＤＳ機能が付加されているか否かと共に仕向先を判別するために、仕向先に対応させたダイオードＤ１およびＤ２と、ＲＤＳ機能の存否に対応させたダイオードＤ３とを選択的に制御回路２０に接続してダイオードマトリックスを構成し、制御回路２０において、ダイオードＤ１、Ｄ２およびＤ３の陰極が共通接続された端子を抵抗を介してグランド電位とし、ダイオードＤ１、Ｄ２およびＤ３の陽極端子にそれぞれ正の電位を走査により印加して、そのときの陰極が共通接続される端子の電位によって接続されているダイオードを検出して、ＲＤＳ機能の存否および仕向国を判別し、表示器９にその機能に応じた表示を行わせるために、判別結果に基づいて制御回路２０を作用させるプログラムを切り換えさせるようにしている。
【０００７】
制御回路２０におけるこの仕向先およびＲＤＳ機能の存否の判別は、図８に示すようにダイオードＤ１とダイオードＤ２の接続の有無（図８において〃１〃は接続されていることを、〃０〃は接続されていないことを示している）によって仕向先を判別し、ダイオードＤ３の接続の有無によってＲＤＳ機能の存否を判別している。例えば、ダイオードＤ２のみが接続されているときは該ラジオ受信機はＲＤＳ機能が設けられており、かつＫ国向けであると判別され、ダイオードＤ２およびＤ３が接続されているときは該ラジオ受信機はＲＤＳ機能がなく、かつＫ国向けであると判別される。ＦＭ多重機能等の有無についての場合も同様である。
【０００８】
【発明が解決しようとする課題】
しかしながら、上記した従来の判別回路によるときは、付加機能に種別が増加すると接続するべきダイオードの数が増加し、ダイオードの有無の検出のためのビット数すなわち走査するべき端子数を増加させなければならず、端子を出すために制御回路内でプリント配線を引き回す必要が生じてプリント配線基板の面積が増加して全体の容積が増加し、小型化が困難となるという問題点があった。さらにプリント配線が引き回されるためプリント配線から不要輻射が発生し音響機器の性能を低下させるという問題点があり、増加したダイオードに基づき価格も上昇するという問題点もあった。また、判別するべき仕向先が増加したときも同様である。
【０００９】
本発明は、付加機能の存否判別のためのダイオード数を増加させることなく多くの付加機能の存否判別ができる機能判別回路を提供することを目的とする。
【００１２】
【課題を解決するための手段】
本発明にかかる請求項１記載の機能判別回路は、音響機器の内部にＡ／Ｄ変換部を有する制御回路を備え、該制御回路に選択的に接続されたダイオードの有無を検出してダイオードに対応させた付加機能の存否を判別すると共に、電圧源の出力電圧を前記Ａ／Ｄ変換部でＡ／Ｄ変換したＡ／Ｄ変換後の出力電圧値から電圧源の存否を検出し検出した電圧源の存否に基づき電圧源に対応させた付加機能の存否を判別する機能判別回路であって、
前記Ａ／Ｄ変換部に接続され第１の付加機能に対応しかつ所定レベルの電圧を発生する第１の電圧源と、前記Ａ／Ｄ変換部に接続され第２の付加機能に対応しかつ第１の電圧源の出力電圧と異なるレベルの電圧を発生する第２の電圧源とを付加機能に対応して選択的に備え、
前記Ａ／Ｄ変換後の出力電圧値に基づいて第１の電圧源の存否を検出する第１の検出手段と、前記Ａ／Ｄ変換後の出力電圧値に基づいて第２の電圧源の存否を検出する第２の検出手段とを備え、
前記ダイオードの有無による付加機能の存否判別に加えて、
第１の検出手段による第１の電圧源の存在検出により第１の付加機能を有し、第２の検出手段による第２の電圧源の存在検出により第２の付加機能を有すると判別する
ことを特徴とする。
【００１３】
本発明にかかる請求項１記載の機能判別回路によれば、第１の付加機能が付加されているときは第１の電圧源が設けられ、第２の付加機能が付加されているときは第２の電圧源が設けられる。第１の電圧源の存在が検出されたときは、第１の付加機能が付加された音響機器であると判別され、第２の電圧源の存在が検出されたときは、第２の付加機能が付加された音響機器であると判別される。したがって、判別されるべき付加機能が増加しても、付加機能判別のためのダイオード数をそのままにして第１乃至第２の電圧源および第１乃至第２の検出手段によって対応することができ、判別付加機能の増加にかかわらず付加機能判別のためのダイオード数を増加させる必要もなくなる。
【００１４】
本発明にかかる請求項２記載の機能判別回路は、音響機器の内部にＡ／Ｄ変換部を有する制御回路を備え、該制御回路に選択的に接続されたダイオードの有無を検出してダイオードに対応させた付加機能の存否を判別すると共に、電圧源の出力電圧を前記Ａ／Ｄ変換部でＡ／Ｄ変換したＡ／Ｄ変換後の出力電圧値から電圧源の存否を検出し検出した電圧源の存否に基づき電圧源に対応させた付加機能の存否を判別する機能判別回路であって、
前記Ａ／Ｄ変換部に接続され第１の付加機能に対応しかつ所定レベルの電圧を発生する第１の電圧源と、前記Ａ／Ｄ変換部に接続され第２の付加機能に対応しかつ第１の電圧源の出力電圧と異なるレベルの電圧を発生する第２の電圧源と、前記Ａ／Ｄ変換部に接続され第３の付加機能に対応しかつ第１および第２の電圧源の出力電圧と異なるレベルの電圧を発生する第３の電圧源とを付加機能に対応して選択的に備え、
前記Ａ／Ｄ変換後の出力電圧値に基づいて第１の電圧源の存否を検出する第１の検出手段と、前記Ａ／Ｄ変換後の出力電圧値に基づいて第２の電圧源の存否を検出する第２の検出手段と、前記Ａ／Ｄ変換後の出力電圧値に基づいて第３の電圧源の存否を検出する第３の検出手段とを備え、
前記ダイオードの有無による付加機能の存否判別に加えて、
第１の検出手段による第１の電圧源の存在検出により第１の付加機能を有し、第２の検出手段による第２の電圧源の存在検出により第２の付加機能を有し、第３の検出手段による第３の電圧源の存在検出により第３の付加機能を有すると判別する
ことを特徴とする。
【００１５】
本発明にかかる請求項２記載の機能判別回路によれば、第１の付加機能が付加されているときは第１の電圧源が設けられ、第２の付加機能が付加されているときは第２の電圧源が設けられ、第３の付加機能が付加されているときは第３の電圧源が設けられる。第１の電圧源の存在が検出されたときは、第１の付加機能が付加された音響機器であると判別され、第２の電圧源の存在が検出されたときは、第２の付加機能が付加された音響機器であると判別され、第３の電圧源の存在が検出されたときは、第３の付加機能が付加された音響機器であると判別される。したがって、判別されるべき付加機能が増加しても、付加機能判別のためのダイオード数をそのままにして第１乃至第３の電圧源および第１乃至第３の検出手段によって対応することができ、判別付加機能の増加にかかわらず付加機能判別のためのダイオード数を増加させる必要もなくなる。
【００１６】
【発明の実施の形態】
以下、本発明にかかる機能判別回路を実施の一形態によって説明する。本発明の実施の一形態にかかる機能判別回路は音響機器としてのラジオ受信機に適用した場合を例示している。
【００１７】
図１は本発明の実施の一形態にかかる機能判別回路を備えたラジオ受信機の構成を示すブロック図であり、電界強度表示機能付きのＲＤＳラジオ受信機の場合を例示している。
【００１８】
本発明の実施の一形態にかかる機能判別回路を備えたラジオ受信機において、図７に示した従来例のラジオ受信機の構成要素と同一構成要素には同一の符号を付して、重複を避けるためにその説明は省略する。
【００１９】
検波器４から出力される検波出力中からＲＤＳの信号、すなわち５７ｋＨｚの副搬送波信号を抽出してＲＤＳ復調器７に供給しＲＤＳ復調させる。ＲＤＳ復調器７からのＲＤＳ復調出力データおよびデータ読み取りのためのクロック信号（ＲＤＳ復調クロック信号）はマイクロコンピュータからなる制御回路８へ送出する。
【００２０】
一方、本発明の実施の一形態にかかる機能判別回路を備えたラジオ受信機においては、制御回路８に電源電圧を出力すると共にリセット用の正のパルス電圧を出力する電源部１０と、電源部１０からの前記パルス電圧が印加されるコンデンサ１１および抵抗１２からなる時定数回路と抵抗１２の両端に接続されたダイオード１３と、抵抗１２の電圧がベースに印加されかつコレクタが電源にプルアップされたトランジスタ１４とからなりコレクタ電位で制御回路８をパワーオンリセットするパワーオンリセット回路１５と、電源部１０からの前記パルス電圧が印加されるコンデンサ１６および抵抗１７からなる時定数回路と抵抗１７の両端に接続されて抵抗１７の電圧を電圧Ｖ２に制限するツエナダイオード１８と抵抗１７の電圧を導出するダイオード１９とからなりＲＤＳ機能が付加されているときのみ設けられるＲＤＳ付加判別回路２０と、電源部１０からの前記パルス電圧が印加されるコンデンサ２１および抵抗２２からなる時定数回路と抵抗２２の両端に接続されて抵抗２２の電圧を電圧Ｖ０（Ｖ０＜Ｖ２）に制限するツエナダイオード２３と抵抗２２の電圧を導出するダイオード２４とからなり電界強度検出機能が付加されているときのみ設けられる電界強度検出付加判別回路２５とを備え、ＲＤＳ付加判別回路２０からの出力電圧と電界強度検出付加判別回路２５からの出力電圧と増幅器３から出力される電界強度信号電圧Ｖ１（Ｖ２＞Ｖ１＞Ｖ０）とを重畳して制御回路８のＡ／Ｄポートに供給してあり、Ａ／Ｄポートの電圧は制御回路８内に形成されたＡ／Ｄ変換器に供給されて、電圧値が検出される。この場合、Ｖ２の電圧がほぼＡ／Ｄ変換器のフルレンジに設定されている。
【００２１】
なお、図１におけるツエナーダイオード３３はＡ／Ｄ変換時のフルレンジに対応するツエナー電圧を有するものである。さらに、電界強度信号電圧Ｖ１は電界強度によって変化するものであって、ある程度の電圧幅を有するものであってもよい。例えば、電界強度信号電圧Ｖ１はＶａ〜Ｖｂの電圧幅を有し、Ｖａ＞Ｖ０であり、かつＶｂ＞Ｖ２であってもよい。
【００２２】
一方、制御回路８には仕向先を判別するために、仕向先に対応させたダイオードＤ１およびＤ２を選択的に制御回路８に接続してダイオードマトリックスを構成し、制御回路８において、ダイオードＤ１およびＤ２の陰極が共通接続された端子を、抵抗を介してグランド電位とし、ダイオードＤ１およびＤ２の陽極端子にそれぞれ正の電位を走査により印加し、そのときの陰極が共通接続されている端子の電位によって、接続されているダイオードを検出して仕向先を判別し、さらにＡ／Ｄポートに電圧を検出して電圧値に基づいて付加されている機能を判別して、表示器９にその機能に応じた表示を行わせるために、判別結果に基づいて制御回路８を作用させるプログラムを切り換えさせる。
【００２３】
上記のように構成した本発明の実施の一形態にかかる機能判別回路の作用について説明する。
【００２４】
電源部１０が動作状態にされたことによって電源部１０から出力される電源電圧が制御回路８に印加される。電源部１０から電圧が供給され、同時にパワーオンリセット回路１５およびＲＤＳ付加判別回路２０および電界強度検出付加判別回路２５に電源部１０から出力される、図２（ａ）に示す制御電圧が供給される。電源部１０からの前記制御電圧が印加されたパワーオンリセット回路１５からは、電源部１０から出力される前記制御電圧の立上りから図２（ｂ）に示すごとく、コンデンサ１１と抵抗１２からなる時定数回路の時定数に基づく期間遅れて所定期間トランジスタ１４がオン状態になって、前記所定期間負電位の出力電圧が送出されて制御回路８がリセットされる。
【００２５】
制御回路８のリセットに続いてダイオードＤ１、Ｄ２が接続されているか否かがチェックされて、接続されているダイオードＤ１、Ｄ２に基づいて仕向先が判別される。この状態は従来の場合と同様である。仕向先が４ヵ所のときはダイオードの数は２個であり、従来例の場合から増加することはない。
【００２６】
ここで、本発明の実施の一形態にかかる判別回路が設けられたラジオ受信機において、ＲＤＳ付加判別回路２０および電界強度検出付加判別回路２５が備えられているとする。
【００２７】
そこで、電源部１０からの前記制御電圧が印加されたＲＤＳ付加判別回路２０からは電源部１０からの前記制御電圧の立上り時から出力電圧が発生させられ、該電圧がツェナダイオード１８のツェナー電圧レベル（Ｖ２）にまで上昇させられ、コンデンサ１６と抵抗１７からなる時定数回路の時定数に基づく期間遅れて０電圧に低下させられて、ダイオード１９を介して出力電圧が送出される。
【００２８】
また、電源部１０からの前記制御電圧が印加された電界強度検出付加判別回路２５からは電源部１０からの前記制御電圧の立上り時から出力電圧が発生させられ、該電圧がツェナダイオード２３のツェナー電圧レベル（Ｖ０）にまで上昇させられ、コンデンサ２１と抵抗２２からなる時定数回路の時定数に基づく期間遅れて０電圧にまで低下させられて、ダイオード２４を介して出力電圧が送出される。ここで、コンデンサ２１と抵抗２２からなる時定数回路の時定数はコンデンサ１６と抵抗１７からなる時定数回路の時定数よりも長く設定してある（図２（ｃ）および（ｄ）参照）。
【００２９】
また、電界強度信号電圧Ｖ１は電圧Ｖ０よりもレベルが大きく、かつ電圧Ｖ２のレベルよりも小さい範囲で動作しており、電圧Ｖ０が零になる時点から出力されるようになっている（図２（ｅ）参照）。電界強度信号電圧Ｖ１、ＲＤＳ付加判別回路２０からの出力電圧Ｖ２および電界強度検出付加判別回路２５からの出力電圧Ｖ０とは、Ａ／Ｄポートに印加される。したがってＡ／Ｄポートに印加される電圧は図２（ｃ）に示すようにレベルはピーク値で（Ｖ０＋Ｖ２）であり、斜線部のピーク値の時点においてＡ／Ｄ変換器に取り込まれる。そこで、Ａ／Ｄポートの電圧値を判別するＡ／Ｄ変換器の入力電圧のピーク値は図３（ａ）に示すようにＡ／Ｄ変換器のほぼフルレンジの電圧である。したがって、Ａ／Ｄ変換器によって変換された電圧値を判別した結果、該ラジオ受信機にはＲＤＳ機能が設けられていると判別されることになる。
【００３０】
また、図３（ａ）に示すように電圧Ｖ２よりタイミングが遅れて図２（ｄ）に示した電圧Ｖ０の斜線部のピーク値の時点での電圧がＡ／Ｄ変換器に取り込まれる。そこで、Ａ／Ｄポートの電圧値を判別するＡ／Ｄ変換器の入力電圧のピーク値は図３（ａ）に示すようにＡ／Ｄ変換器のフルレンジよりも低いレベルの電圧である。したがって、電圧Ｖ０を受けたＡ／Ｄ変換器によって変換された電圧値を判別した結果、該ラジオ受信機には電界強度検出機能が付加機能として設けられている判別されることになる。これらの機能付加の判別の後に電界強度信号電圧Ｖ１が出力されて、Ａ／Ｄポートに取り込まれてＳメータが駆動され、電界強度が表示される。
【００３１】
したがって、ラジオ受信機にＲＤＳ機能が付加されかつ電界強度検出機能が付加されているときは、ＲＤＳ付加判別回路２０および電界強度検出付加判別回路２５を備えておくことによって、ＲＤＳ機能が付加されかつ電界強度検出機能が付加されているラジオ受信機であると判別されることになる。
【００３２】
本発明の実施の一形態にかかる判別回路が設けられたラジオ受信機において、ＲＤＳ付加判別回路２０は備えられておらず、電界強度検出付加判別回路２５が備えられているとする。したがって、電源部１０からの前記パルス電圧が印加された電界強度検出付加判別回路２５からは、前記のようにレベルのピーク値Ｖ０の出力電圧がＡ／Ｄポートに供給される。ＲＤＳ付加判別回路２０からは出力電圧が送出されない。
【００３３】
したがって、Ａ／Ｄポートに電界強度検出付加判別回路２５からの出力電圧のみが印加されて、Ａ／Ｄポートに印加される電圧は図２（ｄ）に示すようにレベルのピーク値がＶ０の電圧であり、斜線部のピーク値の時点においてＡ／Ｄ変換器に取り込まれる。このため、Ａ／Ｄポートの電圧値を変換するＡ／Ｄ変換器には電圧Ｖ０が入力電圧として取り込まれて、Ａ／Ｄ変換器によって変換された電圧値を検出した結果、該ラジオ受信機には電界強度検出付加機能が設けられているが、ＲＤＳ機能は設けられていないと判別されることになる。この判別後に電界強度信号電圧Ｖ１が出力されて、Ａ／Ｄポートに取り込まれてＳメータが駆動され、電界強度が表示される。
【００３４】
したがって、ラジオ受信機にＲＤＳ機能が付加されず、電界強度検出機能が付加されているときは、ＲＤＳ付加判別回路２０を備えず、電界強度検出付加判別回路２５を備えておくことによって、電界強度検出機能が付加されており、ＲＤＳ機能が付加されていないラジオ受信機であると判別されることになる。
【００３５】
本発明の実施の一形態にかかる判別回路が設けられたラジオ受信機において、電界強度検出付加判別回路２５は備えられておらず、ＲＤＳ付加判別回路２０が備えられているものとする。したがって、電源部１０からの前記パルス電圧が印加されたＲＤＳ付加判別回路２０からは、前記のようにレベルのピーク値Ｖ２の出力電圧がＡ／Ｄポートに供給される。電界強度検出付加判別回路２５からは出力電圧が送出されない。
【００３６】
したがって、Ａ／ＤポートにＲＤＳ付加判別回路２０からの出力電圧Ｖ２のみが印加される。Ａ／Ｄポートに印加される電圧はレベルのピーク値がＶ２であり、Ａ／Ｄポートの電圧値を判別するＡ／Ｄ変換器にはレベルＶ２の電圧が取り込まれて、Ａ／Ｄ変換器によって変換された電圧値を判別した結果、該ラジオ受信機にはＲＤＳ機能が設けられていると判別後電圧Ｖ０が存在するか否かを見にいくが、電圧Ｖ０が存在しないために、電界強度検出機能が設けられていないと判別されることになる。
【００３７】
したがって、ラジオ受信機に電界強度検出機能が付加されず、ＲＤＳ機能が付加されているときは、電界強度検出付加判別回路２５を備えず、ＲＤＳ付加判別回路２０を備えておくことによって、ＲＤＳ機能が付加されており、電界強度検出機能が付加されていないラジオ受信機であると判別されることになる。
【００３８】
また、ＲＤＳ付加判別回路２０および電界強度検出付加判別回路２５を備えていないときは、機能判別動作時にＡ／Ｄポートに印加される電圧は０であって、ＲＤＳ機能も電界強度検出機能も備えていないと判別される。上記の判別による結果を、ダイオードによる仕向先の判別も含めて図４に示す。
【００３９】
また、上記の判別によってＲＤＳ機能を備えたラジオ受信機において、電界強度検出機能が付加されていない場合には、ＲＤＳ機能を備えたラジオ受信機ではＡＦサーチのために電界強度検出機能が必要となるのにもかかわらず付加されていないことが判り、機能の判別のみならず、必要な機能を設けることを忘れていることが検出されることにもなる。
【００４０】
次に、上記した例では、電界強度検出付加判別回路２５を設けた場合を例示したが、電界強度検出付加判別回路２５に代わって、中間周波信号を増幅する増幅器３の途中段から検出した電界強度検出出力で判別することもできる。この場合の例を図５に示す。
【００４１】
ＲＤＳ付加判別回路２０に代わって、電源部１０からの前記制御電圧が印加されるコンデンサ１６および抵抗１７からなる時定数回路と、時定数回路の出力電圧がベースに供給されてオフ状態に制御されてエミッタから出力を取り出すトランジスタ２７とトランジスタ２７からの出力を送出させるダイオード２８とからなるＲＤＳ付加判別回路２０Ａを、ＲＤＳ機能が付加されているときのみ設け、電界強度検出出力（Ｓメータ出力）をＲＤＳ付加判別回路２０Ａからの出力に重畳してＡ／Ｄポートに印加するように構成する。
【００４２】
電源部１０からの前記制御電圧が印加されると、トランジスタ２７のベース電圧がし、エミッタとの間の電圧が所定値、例えばほぼ０．６Ｖ以内になるとトランジスタ２７はオフ状態に制御されて、トランジスタ２７のエミッタ電圧がＲＤＳ付加判別回路２０Ａから送出され、コンデンサ１６と抵抗１７との時定数回路の時定数に基づく時間遅れて時定数回路の出力電圧が低下し、トランジスタ２７がオン状態に制御されて、正のパルス電圧がＲＤＳ付加判別回路２０Ａの出力電圧として送出され、この電圧と電界強度検出出力と重畳のうえＡ／Ｄポートに印加される。
【００４３】
なお、この場合はＡ／Ｄポートに印加されている電圧を入力電圧として読み込むＡ／Ｄ変換器のフルレンジの電圧を、ＲＤＳ付加判別回路２０Ａの出力電圧と制御回路８のパワーオンリセット時の電界強度検出出力（例えば、最小値）との和の電圧になるように設定しておくことが必要である。
【００４４】
上記のように電界強度検出出力（Ｓメータ出力）を電界強度検出付加判別回路２５の出力電圧として利用するときは、電界強度検出付加判別回路２５を独立して設ける必要はなくなるという効果が得られる。
【００４５】
上記のように本発明の実施の一形態にかかる機能判別回路において、レベルのピーク値が電圧Ｖ０、Ｖ１、Ｖ２の３つ場合を例示したが、図３（ｂ）に示すように、さらにレベルのピーク値がＶ３の出力を発生させる回路を、さらに他の機能が付加されているときに設けるようにして、さらに多い機能の存否の判別を行ってもよい。さらに、ピーク値をさらに分割することによって多くの機能の存否を判別するようにすることもできる。
【００４６】
本発明の実施の一形態にかかる機能判別回路のさらに他の例を図６に示す。図６に示す例では、電源部１０の出力電圧を選択的に接続される抵抗３１を介して制御回路８のＡ／Ｄポートに印加し、増幅器３から出力される電界強度検出信号電圧を選択的に接続される抵抗３２を介して制御回路８のＡ／Ｄポートに印加するように構成し、ＲＤＳ機能および電界強度検出機能が付加されているときには抵抗３２が接続されかつ抵抗３１が除去され、ＲＤＳ機能および電界強度検出機能が付加されているときには抵抗３１が接続されかつ抵抗３２が除去されている。
【００４７】
したがって、抵抗３１を介して電源部１０からの電圧が制御回路８のＡ／Ｄポートに印加されているときはＲＤＳ機能および電界強度検出機能が付加されていないと判別され、電源部１０からの電圧が制御回路８のＡ／Ｄポートに印加されていないときにはＲＤＳ機能および電界強度検出機能が付加されていると判別される。そして、ＲＤＳ機能および電界強度検出機能が付加されているときは、抵抗３２が接続されて制御回路８のＡ／Ｄポートには増幅器３から出力される所定の電圧範囲の電界強度信号が入力されて電界強度が検出され、抵抗３２が電界強度信号導入手段となる。
【００４８】
この場合に、抵抗３２を介して制御回路８のＡ／Ｄポートに印加される電界強度信号の電圧の値と、別途抵抗３１を介して制御回路８のＡ／Ｄポートに印加される電圧値を比べた場合、抵抗３１を介して印加される電圧値の方が大きい。したがって制御回路８のＡ／Ｄポートの電圧値を見ることによってＲＤＳ機能および電界強度検出機能付きと、ＲＤＳ機能および電界強度検出機能なしとが判ることになる。この例では増幅器３の電界強度信号の電圧が電界強度検出付加判別回路２５の出力として用いられて、電界強度検出付加判別回路２５が不要になり、ＲＤＳ付加判別回路２０が抵抗ですみ、簡単な構成となる。
【００４９】
なお、ＲＤＳ機能に変わって、ＦＭ多重機能を選択的の備えたラジオ受信機についても同様に、ＦＭ多重機能が付加されているか否かを判別することもできる
。
【００５０】
本発明の実施の一形態にかかる機能判別回路において、ラジオ受信機の場合を例示したが、ラジオ受信機に代わって他の音響機器であってもよい。例えばスペクトラムアナライザ（グラフィックイコライザ）でも同様に、所定電圧幅において信号レベルを読み取り、それ以外の電圧で、機能判別を行ってもよい。
【００５１】
【発明の効果】
以上説明したように本発明にかかる機能判別回路によれば、判別されるべき付加機能が増加しても、ダイオードの存否による付加機能の存否判別の他に、電圧源の存否によって付加機能の存否が判別されるために、電圧源および検出手段の数を増加させることによって対応することができて、付加機能判別のためのダイオード数を増加させることなく、多くの機能の存否が判別できるという効果が得られる。
【図面の簡単な説明】
【図１】本発明の実施の一形態にかかる機能判別回路を備えたラジオ受信機の構成を示すブロック図である。
【図２】本発明の実施の一形態にかかる機能判別回路の作用の説明に供する波形図である。
【図３】本発明の実施の一形態にかかる機能判別回路の作用の説明に供する図である。
【図４】本発明の実施の一形態にかかる機能判別回路の作用の説明に供する図である。
【図５】本発明の実施の一形態にかかる機能判別回路の他の例の構成を示すブロック図である。
【図６】本発明の実施の一形態にかかる機能判別回路のさらに他の例の構成を示すブロック図である。
【図７】従来の機能判別回路を備えたラジオ受信機の構成を示すブロック図である。
【図８】従来の機能判別回路の説明に供する図である。
【符号の説明】
４  検波器
７  ＲＤＳ復調器
８  制御回路
Ｄ１〜Ｄ２  ダイオード
９  表示器
１５  パワーオンリセット回路
２０および２０Ａ  ＲＤＳ付加判別回路
２５  電界強度検出付加判別回路
【図１】
0003571504.tif 000002
【図２】
0003571504.tif 000003
【図３】
0003571504.tif 000004
【図４】
0003571504.tif 000005
【図５】
0003571504.tif 000006
【図６】
0003571504.tif 000007
【図７】
0003571504.tif 000008
【図８】
0003571504.tif 000009